(57)【特許請求の範囲】
【請求項１】
直状の第１の縁部と当該第１の縁部に直交する方向に延在する直状の第２の縁部とを有する記録媒体を前記第１の縁部の延在方向に搬送するときに、搬送路上で前記記録媒体の姿勢を矯正して、前記第１の縁部を搬送方向に延びる所定の位置決めラインに合わせる媒体用搬送矯正装置において、
前記記録媒体の前記第１の縁部を前記位置決めラインに対して傾かせるように前記記録媒体の前記第２の縁部を前記搬送方向の前方に向けて押し出す媒体押出部と、
前記媒体押出部よりも前記搬送方向の前方で前記位置決めラインよりも外方に配置され、前記記録媒体の前記第１の縁部を前記位置決めラインに向けて当該位置決めラインに直交する方向に押す可動ガイド部と、
前記媒体押出部と前記可動ガイド部との間に配置され、前記媒体押出部により押し出された前記記録媒体の一部分を挟み込む媒体挟持部と、
を備え、
前記媒体押出部によって前記記録媒体の前記第２の縁部を前方に押し出して、前記媒体挟持部によって前記記録媒体の一部分を挟み込み、前記可動ガイド部によって、前記第１の縁部を前記位置決めラインまで押して移動させることを特徴とする媒体用搬送矯正装置。
【請求項２】
前記媒体挟持部は、
挟み込んだ前記記録媒体を前記位置決めラインに直交する方向に送る搬送ローラであることを特徴とする請求項１に記載の媒体用搬送矯正装置。
【発明の詳細な説明】
【技術分野】
【０００１】
本発明は、記録媒体を搬送するときに、搬送路における記録媒体の姿勢の矯正及び位置決めを行う媒体用搬送矯正装置に関するものである。
【背景技術】
【０００２】
従来、このような分野の技術として、下記特許文献１に記載の画像形成装置が知られている。この画像形成装置において、画像転写部にシートを送り込むシート供給装置には、シートの搬送姿勢を矯正するために、搬送方向に延在するガイド部材が設けられている。このガイド部材は、搬送路のセンターを基準として正規に搬送されたときのシートの側縁部から所定距離を持って位置している。このガイド部材に対して、搬送中のシートの側縁部が複数の斜送ローラによって平行に突き当てられることで、シートの斜行の補正を行っている。そして、ガイド部材に直交して延在するレジストローラを搬送路のセンターの方向に所定距離スライドさせることで、シートの位置決めが行われる。その後、シートが画像転写部に送り込まれ、シート上の所望の位置に画像が転写される。
【特許文献１】特開２００５−３１４０４５号公報
【発明の開示】
【発明が解決しようとする課題】
【０００３】
しかしながら、近年、この種の画像形成装置は、一機種で多種類の印刷物に対応することが求められている。このような印刷物は、種類によって異なる印刷位置が要求される場合がある。ここで、この種の画像形成装置においては、画像転写部や転写フィルムの位置が固定されている場合が多いので、印刷媒体の搬送方向に直交する方向における印刷位置を可変にするためには、媒体の搬送ラインを、画像転写部や転写フィルムに対して、印刷媒体の搬送方向に直交する方向に可変にする必要がある。ところが、特許文献１のような媒体のセンターを基準にして位置決めを行う方式では、多種類の印刷物に応じて搬送ラインを可変にする対応は困難である。
【０００４】
そこで、本発明は、搬送される記録媒体の搬送ラインを可変にすることができる媒体用搬送矯正装置を提供することを目的とする。
【課題を解決するための手段】
【０００５】
本発明に係る媒体用搬送矯正装置は、直状の第１の縁部と当該第１の縁部に直交する方向に延在する直状の第２の縁部とを有する記録媒体を第１の縁部の延在方向に搬送するときに、搬送路上で記録媒体の姿勢を矯正して、第１の縁部を搬送方向に延びる所定の位置決めラインに合わせる媒体用搬送矯正装置において、記録媒体の第１の縁部を位置決めラインに対して傾かせるように記録媒体の第２の縁部を搬送方向の前方に向けて押し出す媒体押出部と、媒体押出部よりも搬送方向の前方で位置決めラインよりも外方に配置され、記録媒体の第１の縁部を位置決めラインに向けて当該位置決めラインに直交する方向に押す可動ガイド部と、媒体押出部と可動ガイド部との間に配置され、媒体押出部により押し出された記録媒体の一部分を挟み込む媒体挟持部と、備え、媒体押出部によって記録媒体の第２の縁部を前方に押し出して、媒体挟持部によって記録媒体の一部分を挟み込み、可動ガイド部によって、第１の縁部を位置決めラインまで押して移動させることを特徴とする。
【０００６】
この媒体用搬送矯正装置では、媒体押出部によって、記録媒体の第１の縁部が位置決めラインに対し傾くように、記録媒体の第２の縁部が搬送方向前方に押し出されるので、記録媒体は搬送方向に対して傾きながら送られる。そして、記録媒体が傾いた状態で、可動ガイド部よりも後方において、媒体挟持部により記録媒体の一部分が挟み込まれる。更に、可動ガイド部が、第１の縁部の前部を位置決めラインに向けて押し出す。このとき、媒体挟持部で挟み込まれた記録媒体の一部分が固定されているので、記録媒体は、挟み込まれたこの一部分を中心にして搬送路上で回転し、この回転により第１の縁部が位置決めラインまで移動する。
【０００７】
このように、記録媒体の第１の縁部が位置決めライン上に合わせられるので、記録媒体の姿勢の矯正及び搬送方向に直交する方向における位置決めが、上記動作により確実に素早く達成される。そして、このような媒体用搬送矯正装置によれば、可変ガイド部の押し出し量を適宜変更することにより、最終的な記録媒体の位置を変更することができる。従って、簡易に、記録媒体が搬送される搬送ラインを、搬送方向に直交する方向において可変とすることができる。
【０００８】
また、媒体挟持部は、挟み込んだ記録媒体を位置決めラインに直交する方向に送る搬送ローラであることが好適である。このような構成によれば、挟み込まれた記録媒体の一部分を搬送ローラの回転によって動かすことで、位置決めラインに直交する方向における記録媒体の位置を微調整することができる。
【発明の効果】
【０００９】
本発明の媒体用搬送矯正装置によれば、搬送される記録媒体の搬送ラインを可変にすることができる。
【発明を実施するための最良の形態】
【００１０】
以下、図面を参照しつつ本発明に係る媒体用搬送矯正装置が用いられる中間転写型熱転写印刷装置の好適な実施形態について詳細に説明する。
【００１１】
図１〜図４に示された中間転写型熱転写印刷装置１は、全自動の冊子プリンタであり、印刷画像を厚さ約２０μｍ程度の透明なフィルムＦに一旦転写した後、このフィルムＦから記録媒体（例えばパスポート、通帳などの冊子）Ｓに再転写する装置である。このような熱転写印刷装置１は、冊子Ｓの見開きの片面に高品位な画像（例えば顔写真や標識や文字）を印刷することができる。従って、この装置１は、高品位印刷が可能で、顔写真の入った冊子Ｓの発行をも可能にし、セキュリティを高めることができる。
【００１２】
このような中間転写型熱転写印刷装置１において、筐体５の下段側には、冊子Ｓを水平方向に積層可能な冊子ストッカー４が配置され、装置１の上段側には、冊子ストッカー４から一冊ずつ排出された冊子Ｓに画像を印刷するための印刷部３が配置されている。冊子ストッカー４は、水平方向に引出し可能であり、冊子ストッカー４内では、Ｌ字状に広げられた冊子Ｓが水平方向に重ねられている。冊子Ｓは、冊子ストッカー４の奥側で吸盤６に吸着され、ポンプＰによって真空引きされた状態の吸盤６が横方向に移動することで、冊子Ｓは、冊子ストッカー４の奥側から横方向に一冊ずつ引き出される。筐体５の下段側に設けられた観音開き型の扉５ａを開くことによって、冊子ストッカー４を手前側に引き出すことができ、冊子ストッカー４内に冊子Ｓを補充することができる。
【００１３】
装置１の上段と下段とはベルト搬送方式の傾斜リフト部７で連結され、傾斜リフト部７の下端側及び上端側には回転自在な冊子方向転換部８，９が配置されている。吸盤６で搬送されてきた冊子Ｓは、送り込みローラ８ａによって下端側の冊子方向転換部８内に取り込まれ、冊子方向転換部８は傾斜リフト部７の下端側に送り込むように所定角度内で回動する。上端側の冊子方向転換部９は、傾斜リフト部７の上端から排出された冊子Ｓを上段の印刷部３の搬送部Ｃ内に送り込むように所定角度内で回動する。そして、冊子方向転換部９から排出された冊子Ｓは、搬送矯正部（媒体用搬送矯正装置）３１に設けられた冊子送り込み爪（媒体押出部）２７によって、冊子Ｓをスライドさせながら印刷部３の搬送部Ｃに受け渡される。なお、上端側の冊子方向転換部９が直立状態になって、冊子Ｓを非接触ＩＣ読み／書き部１０内に送り込むことで、冊子Ｓ内に埋め込まれているＩＣチッブの読み書きが行われる。
【００１４】
次に、筐体５の上段側に配置された印刷部３では、フィルムＦに画像を熱転写するための記録部（一次転写部）Ａと、フィルムＦに転写された画像と冊子Ｓとを対向させて、冊子Ｓに画像を熱転写するための熱再転写部（二次転写部）Ｂと、冊子Ｓを水平方向に搬送させるための搬送部Ｃとを備えている。
【００１５】
この印刷部３には、水平方向に引出し可能なフィルムカセット部１３とリボンカセット部１４とが配置されている。このフィルムカセット部１３内のフィルムＦは、上下一対のボビン１５，１６に巻かれた状態で交換可能である。リボンカセット部１４内のカラーインクリボンＲも同様に、上下一対のボビン１７，１８に巻かれた状態で交換可能である。そして、リボンカセット部１４内のカラーインクリボンＲには、溶融性又は昇華性のイエロー・マゼンタ・シアンの３色（またはブラックを加えた４色）のインクを１フレームとして周期的にインクが塗布されている。なお、フィルムＦ又はリボンＲを交換する際には、筐体５の上段側に設けられた跳ね上げ式の扉５ｂを持ち上げる。
【００１６】
さらに、記録部Ａにおいて、プラテンローラ(通称「プラテン」)２０とプラテンローラ２０に対する離間／接近が可能なクランプローラ１９ａ，１９ｂとの協働により、フィルムＦは、プラテンローラ２０の周面の３／４周に巻き付け固定されると共に、プラテンローラ２０の回転に追従して移動する。そして、一次転写時において、サーマルヘッド２１がプラテンローラ２０に向かって前進し、サーマルヘッド２１によって、カラーインクリボンＲがプラテンローラ２０上のフィルムＦに押し当てられる。そして、モータによってプラテンローラ２０を正転させ、フィルムＦとカラーインクリボンＲとを同期させながら下方に送ることで、加熱状態のサーマルヘッド２１によって、カラーインクリボンＲの第１色目（シアン）がフィルムＦ上に熱転写される。また、フィルムＦ上に画像を熱転写した後のカラーインクリボンＲは、サーマルヘッド２１の後退後、フィルムＦから剥離させられながらボビン１８に巻き取られて行く。
【００１７】
次に、フィルムＦとカラーインクリボンＲとを離間させた状態で、プラテンローラ２０を逆転させながらフィルムＦを上昇させて元の位置に復帰させる。その後、前述の転写動作を繰り返しながら、フィルムＦ上にマゼンタ、イエロー、ブラックの順に色を重層させて、所望のカラー画像をフィルムＦ上に作り出す。その後、プラテンローラ２０からクランプローラ１９ａ，１９ｂを離間させ、巻取り側ボビン１６等の回転によってフィルムＦ上の記録画像をヒートローラ２３の近くまで移動させる。
【００１８】
また、搬送部Ｃにおいて、冊子Ｓの見開きページの印刷予定面が搬送テーブル２４によって支持された状態で、搬送テーブル２４は水平方向に移動する。このとき、冊子Ｓは、フィルムＦ上の記録画像と位置合わせされ、冊子Ｓの見開きページの印刷予定面とフィルムＦとが重ね合わされた状態で熱再転写部Ｂに送り込まれる。
【００１９】
この熱再転写部Ｂにおいて、冊子Ｓの印刷予定面にフィルムＦが重ね合わされた状態で、冊子Ｓ及びフィルムＦは、ヒートローラ２３と搬送テーブル２４とで挟み込まれ、１６０〜２００°Ｃに加熱されたヒートローラ２３と搬送テーブル２４との協働により、冊子ＳとフィルムＦとを加圧搬送させながら、フィルムＦ上の記録画像を冊子Ｓの印刷予定面上に徐々に転写させていく。このとき、フィルムＦは、冊子Ｓから剥離しながらボビン１６に巻き取られていく。
【００２０】
印刷が完了した冊子Ｓは搬送部Ｃから排出された後、冊子送り込み爪２８によって、冊子Ｓをスライドさせながら冊子方向転換部２５内に送り込まれる。この冊子方向転換部２５が直立状態になって、冊子Ｓを非接触ＩＣ読み／書き部２２内に送り込むことで、冊子Ｓ内に埋め込まれているＩＣチッブの読み書きが行われる。その後、冊子Ｓが冊子方向転換部２５内に送り戻された後、冊子方向転換部２５を水平状態にして、スタッカー２６内に冊子Ｓが排出される。このスタッカー２６内には、印刷や情報書き込みが完了した冊子Ｓがストックされる。なお、情報の書き込みや読み込みエラーが発生した冊子Ｓは、リジェクトストッカ２９内に排出される。
【００２１】
前述した中間転写型熱転写印刷装置１は、紙製のシート（例えばＶＩＳＡシート）Ｇの印刷も可能である。シートストッカー３０内で平積みされたシートＧは、下から押し上げられながら搬送路２を通って冊子方向転換部８内に送り込まれる。そして、シートＧは、傾斜リフト部７を通って印刷部３に供給され、印刷完了後はスタッカー２６内でストックされる。
【００２２】
続いて、この中間転写型熱転写印刷装置１において、上記冊子方向転換部９から排出された略長方形の冊子Ｓを、印刷部３の搬送部Ｃへ送り込む搬送矯正部３１について、図５及び図６を参照しながら説明する。なお、以下の説明における「搬送方向」とは、搬送部Ｃ及び搬送矯正部３１に形成される冊子Ｓの搬送路Ｈにおいて、冊子Ｓが搬送される方向（矢印Ｙ方向）を意味するものとする。また、「左右方向」とは、上記搬送方向Ｙに直交する方向（矢印Ｘ方向）を意味するものとし、「左」又は「右」との語を用いる場合には、搬送方向Ｙの前方に向かって左又は右を意味するものとする。
【００２３】
図５及び図６に示すように、搬送矯正部３１は、冊子方向転換部９からの冊子Ｓを引き込むための搬送ローラ３３〜３６を備えている。各搬送ローラ３３〜３６は、冊子Ｓの搬送路Ｈを挟んで対向する上側の駆動ローラ３３ａ〜３６ａと下側のピンチローラ３３ｂ〜３６ｂとの対として構成されている。駆動ローラ３３ａ，３５ａは、ステッピングモータで駆動され、搬送方向Ｙに直交する面内で回転する。また、ピンチローラ３３ｂ及び３５ｂは、カム駆動で上下動する回転軸３７により支持されており、この回転軸３７ごと上下して駆動ローラ３３ａ，３５ａに向けて接離する。なお、このピンチローラ３３ｂ，３５ｂは、駆動源をもたないフリーローラである。このような構成により、搬送ローラ３３，３５は、搬送路Ｈ上の冊子Ｓを上下方向に挟み込んだり解除したりすることが可能であり、冊子Ｓを挟み込んだ状態で回転することで冊子Ｓを左右方向Ｘに移動させることが可能である。また、搬送ローラ３４，３６は、搬送ローラ３３，３５と同様に構成されているので、説明を省略する。
【００２４】
更に、搬送矯正部３１は、冊子Ｓを検出するための透過型の光学センサ３９、冊子Ｓを搬送方向Ｙに押し出すための冊子送り込み爪（媒体押出部）２７及び、搬送路Ｈの外方に配置されており、搬送路Ｈの内側に向かって冊子ＳをＸ１方向に押す可動ガイド板４１を備えている。
【００２５】
上記光学センサ３９は、搬送ローラ３５，３６よりも搬送方向Ｙにおける後方に設けられている。搬送ローラ３４〜３６によって搬送矯正部３１に引き込まれる冊子Ｓは、光学センサ３９に検出された後に、搬送矯正部３１内の所定の位置で停止する。
【００２６】
また、冊子送り込み爪２７は、搬送路Ｈを横切って鉛直方向に延在する２本の爪部２７ａ，２７ｂを有している。この爪部２７ａ，２７ｂは、断面円形に形成されており、ステッピングモータによりベルト駆動部を介して駆動され搬送方向Ｙに移動する。このような爪部２７ａ，２７ｂによって、搬送矯正部３１に引き込まれた冊子Ｓの後端縁部（第２の縁部）Ｓ２が押され、冊子Ｓが搬送方向Ｙに押し出される。また、冊子送り込み爪２７において左側に位置する爪部２７ａは、右側に位置する爪部２７ｂよりも大径に形成された大径部２７ｃを有しており、冊子Ｓの後端縁部Ｓ２の左側はこの大径部２７ｃによって押される。
【００２７】
従って、冊子Ｓの後端縁部Ｓ２は、右端縁部Ｓ１が搬送方向Ｙに対して傾くように左右アンバランスに押し出されることになり、冊子Ｓは、搬送路Ｈにおいてわずかに時計回りに傾きながら移動する。なお、このように冊子Ｓを左右アンバランスに押し出す部材としては、上記爪部２７ａ，２７ｂに代え、搬送方向Ｙに対して傾いた前端面をもつ部材を採用してもよい。この場合も、冊子Ｓの後端縁部Ｓ２が、搬送方向Ｙに対して傾いた前端面に接触しながら押し出されるので、爪部２７ａ，２７ｂの場合と同様に冊子Ｓがわずかに回転し移動する。
【００２８】
また、上記可動ガイド板４１は、搬送ローラ３５，３６よりも前方に設けられており、搬送方向Ｙに平行なガイド面を有している。この可動ガイド板４１は、ステッピングモータによる駆動で、搬送路Ｈ内の位置決めラインＬ１（後述する）よりも右側の初期位置から、予め設定された位置決めラインＬ１に至るまで左右方向Ｘに前進／後退する。この場合、上記ステッピングモータに送出する駆動信号のパルス数を制御することで、冊子Ｓの右端縁部（第１の縁部）Ｓ１を、左右方向Ｘにおいて搬送路Ｈの内側に向けて所望の距離だけ押し、正確に位置決めラインＬ１上まで移動させることができる。
【００２９】
ここで、上記再転写部Ｂでの冊子Ｓの印刷において、印刷予定面上の所望の位置に正確に画像を転写するためには、搬送部Ｃにおいて、冊子Ｓの搬送方向に対する傾きを防止すると共に、冊子Ｓを搬送路Ｈ上の正確な位置で搬送することが必要である。このような搬送を行うため、搬送矯正部３１では、上記構成に基づき、冊子Ｓの右端縁部Ｓ１が搬送方向Ｙに延びる所定の位置決めラインＬ１に正確に合わせられた上で、冊子Ｓが印刷部３の搬送部Ｃに送り込まれる。以下では、搬送矯正部３１において、このような冊子Ｓの位置決めを可能にする送り込み動作について、図７〜図１２を参照しながら説明する。
【００３０】
まず、図７に示すように、冊子方向転換部９から排出された冊子Ｓは、搬送ローラ３３〜３６により上下に挟み込まれ、駆動ローラ３３ａ〜３６ａの回転により搬送矯正部３１に引き込まれる。そして、図８に示すように、冊子Ｓの右端縁部Ｓ１が光学センサ３９を通過してから、予め定められたパルス数の駆動信号が駆動ローラ３３ａ〜３６ａを駆動するステッピングモータに更に送出され、冊子Ｓは、搬送矯正部３１における搬送路Ｈ上のほぼ中心の所定位置に停止する。その後、ピンチローラ３３ｂ〜３６ｂを支持する回転軸３７，３８がカム駆動により下降することで、搬送ローラ３３〜３６による冊子Ｓの挟み込みが解除される。
【００３１】
次に、図９に示すように、冊子送り込み爪２７が搬送方向Ｙに移動すると、冊子Ｓの後端縁部Ｓ２が爪部２７ａ，２７ｂにより押され、冊子Ｓは、時計回りにわずかに回転しながら搬送方向Ｙにスライドする。そして、冊子Ｓは、先端部が搬送部Ｃに挿入される位置まで前進し、右端縁部Ｓ１の前部を可動ガイド板４１に当接させた状態で停止する（第１ステップ）。その後、図１０に示すように、ピンチローラ３３ｂ，３５ｂの回転軸３７のみを上昇させると、搬送ローラ３５により、冊子Ｓが後部付近において上下に挟み込まれ、冊子Ｓは、挟み込み部分Ｓａの一点において固定された状態となる（第２ステップ）。その後、冊子送り込み爪２７を後端の初期位置まで後退させる。
【００３２】
この状態で、可動ガイド板４１を搬送路Ｈの内側に向けて（矢印Ｘ１方向へ）前進させると、冊子Ｓの右端縁部Ｓ１の前部が可動ガイド板４１に押され、冊子Ｓは、挟み込み部分Ｓａを中心として反時計回りに回転する。このとき、可動ガイド板４１を駆動するステッピングモータに対して、予め定められたパルス数の駆動信号を送出することで、可動ガイド板４１を正確に上記位置決めラインＬ１に達するまで移動させる。その結果、冊子Ｓの右端縁部Ｓ１の前部の位置は、可動ガイド板４１に押されて、上記位置決めラインＬ１上に正確に合わせられる（第３ステップ）。
【００３３】
次に、図１１に示すように、その状態から、搬送ローラ３５の駆動ローラ３５ａを回転させて、冊子Ｓの挟み込み部分Ｓａを右方向（矢印Ｘ２方向）に送ることで、冊子Ｓの位置を微調整する。この動作により、冊子Ｓは、可動ガイド板４１に当接した部分を中心として更に反時計回りに回転する（第４ステップ）。このとき、冊子Ｓの右端縁部Ｓ１が光学センサ３９に検出されてから、予め定められたパルス数の駆動信号をステッピングモータに更に送出することで、右端縁部Ｓ１の後部の位置を、上記位置決めラインＬ１に更に正確に合わせられる。
【００３４】
このような搬送矯正部３１の動作により、冊子Ｓの右端縁部Ｓ１全体が位置決めラインＬ１に正確に合わせられるので、冊子Ｓの左右方向Ｘにおける位置決めが正確に行われるとともに、冊子Ｓの搬送方向Ｙに対する傾きも矯正される。この状態で、図１２に示すように、ピンチローラ３５ｂを下降させて可動ガイド板４１を後退させ、冊子Ｓの前端部が搬送部Ｃの搬送ベルト４３により上下に挟み込まれた後、冊子Ｓの印刷予定面が搬送テーブル２４よって支持された状態で搬送方向Ｙに搬送されて行くことで、搬送部Ｃへの冊子Ｓの送り込みが完了する。
【００３５】
以上のように、この搬送矯正部３１においては、搬送部Ｃに送り込まれる冊子Ｓの姿勢が矯正され、左右方向Ｘにおける位置決めが正確に行われた上で、搬送部Ｃへ冊子Ｓが送り込まれるので、再転写部Ｂでの冊子Ｓの印刷において、印刷予定面上の所望の位置に正確に画像を転写することができる。
【００３６】
また、この装置１は、前述のとおり、冊子Ｓばかりではなく、シートＧの印刷処理にも使用可能であるといったように、複数種類の印刷媒体に適用することができる。この種の印刷媒体は、種類ごとに互いに異なる印刷仕様をもつ場合が多く、特に、このシートＧは、右側の印刷マージンを、冊子Ｓよりも広く取ることが要求される。ここで、上記再転写部Ｂにおける、ヒートローラ２３の位置及びフィルムＦの搬送路の位置は固定されているので、シートＧの印刷処理においては、搬送部Ｃに送り込む際のシートＧの左右方向Ｘにおける位置を変更する必要がある。すなわち、シートＧの位置決めラインＬ２は、冊子Ｓの位置決めラインＬ１よりも右側に設定する必要がある。
【００３７】
以下、このようなシートＧの印刷処理における、搬送矯正部３１の動作について説明する。まず、上記第１ステップ及び第２ステップは、上述した冊子Ｓの印刷処理の場合と同様に行われ、冊子送り込み爪２７によりシートＧの後端縁部（第２の縁部）Ｇ２が搬送方向に押し出される。その後、第３ステップにおいては、可動ガイド板４１を駆動するステッピングモータに送出される駆動信号のパルス数が、冊子Ｓの印刷処理の場合に比較して少なく設定されており、冊子Ｓの印刷処理の場合よりも小さい移動量で可動ガイド板４１が移動する。その結果、図１３に示すように、可動ガイド板４１は、上記位置決めラインＬ１よりも右側の位置決めラインＬ２に達するまでしか移動せず、シートＧの右端縁部（第１の縁部）Ｇ１の前部は、上記位置決めラインＬ２上に合わせられる（第３ステップ）。
【００３８】
その状態から、第４ステップにおいては、搬送ローラ３５の駆動ローラ３５ａを回転させて、シートＧの挟み込み部分Ｇａを右方向（矢印Ｘ２方向）に送る。この場合、シートＧの右端縁部Ｇ１が光学センサ３９に検出された後に、更にステッピングモータに送出される駆動信号のパルス数が、冊子Ｓの印刷処理の場合よりも多く設定されている。その結果、冊子Ｓの場合よりも大きい移動量で右端縁部Ｇ１の後部が移動し、シートＧの右端縁部Ｇ１の後部の位置は、上記位置決めラインＬ２に合わせられる。以上のような搬送矯正部３１の動作により、シートＧの右端縁部Ｇ１全体が位置決めラインＬ２に正確に合わせられ、その状態でシートＧが搬送部Ｃに送り込まれる。
【００３９】
以上のように、装置１では、各ステッピングモータへの駆動信号の送出パルス数を変更することで、容易に印刷媒体の位置決めラインを左右方向Ｘに移動させ、搬送部Ｃにおける印刷媒体の搬送ラインを左右方向Ｘに変更することができるので、印刷位置が異なる複数の印刷媒体の印刷処理にも容易に対応可能である。
【図面の簡単な説明】
【００４０】
【図１】本発明に係る媒体用搬送矯正装置が適用される中間転写型熱転写印刷装置の一実施形態を示す正面図である。
【図２】図１に示した中間転写型熱転写印刷装置の背面図である。
【図３】図１のＩＩＩ−ＩＩＩ線に沿う断面図である。
【図４】図１のＩＶ−ＩＶ線に沿う断面図である。
【図５】図１のＶ−Ｖ線に沿う断面図である。
【図６】図１に示した中間転写型熱転写印刷装置の搬送矯正部を示す側面図である。
【図７】（ａ）は冊子の送り込み動作中の搬送矯正部を示す側面図であり、（ｂ）は、その平面図である。
【図８】（ａ）は冊子の送り込み動作中の搬送矯正部を示す側面図であり、（ｂ）は、その平面図である。
【図９】（ａ）は冊子の送り込み動作中の搬送矯正部を示す側面図であり、（ｂ）は、その平面図である。
【図１０】（ａ）は冊子の送り込み動作中の搬送矯正部を示す側面図であり、（ｂ）は、その平面図である。
【図１１】（ａ）は冊子の送り込み動作中の搬送矯正部を示す側面図であり、（ｂ）は、その平面図である。
【図１２】（ａ）は冊子の送り込み動作中の搬送矯正部を示す側面図であり、（ｂ）は、その平面図である。
【図１３】（ａ）はシートの送り込み動作中の搬送矯正部を示す側面図であり、（ｂ）は、その平面図である。
【符号の説明】
【００４１】
２７…冊子送り込み爪（媒体押出部）、３１…搬送矯正部（媒体用搬送矯正装置）、３５…搬送ローラ（媒体挟持部）、４１…可動ガイド板、Ｈ…搬送路、Ｌ１，Ｌ２…位置決めライン、Ｓ…冊子（記録媒体）、Ｇ…シート（記録媒体）、Ｓ１，Ｇ１…右端縁部（第１の縁部）、Ｓ２，Ｇ２…後端縁部（第２の縁部）、Ｙ…搬送方向。
【図１】
0004703484.tif 000002
【図２】
0004703484.tif 000003
【図３】
0004703484.tif 000004
【図４】
0004703484.tif 000005
【図５】
0004703484.tif 000006
【図６】
0004703484.tif 000007
【図７】
0004703484.tif 000008
【図８】
0004703484.tif 000009
【図９】
0004703484.tif 000010
【図１０】
0004703484.tif 000011
【図１１】
0004703484.tif 000012
【図１２】
0004703484.tif 000013
【図１３】
0004703484.tif 000014